(57)【特許請求の範囲】
【請求項１】
複数の点灯回路と、前記複数の点灯回路のそれぞれと一対一で対応する平滑用の複数のコンデンサと、前記複数の点灯回路のそれぞれを制御する制御部とを備え、
前記複数の点灯回路のそれぞれは、スイッチング電源回路であって複数の光源と一対一に電気的に接続され、前記複数の光源のそれぞれに負荷電流を出力し、
前記複数のコンデンサのそれぞれは、前記複数の点灯回路のそれぞれの出力端間に電気的に接続され、かつ前記光源と電気的に並列接続され、
前記制御部は、第１制御と、第２制御とを択一的に選択して実行するように構成され、
前記第１制御を実行している前記制御部は、前記複数の光源のそれぞれに対応して予め決められている基準電流の大きさを前記複数の光源のそれぞれの電気的特性に基づいて増減させる処理によって求められた電流値に前記負荷電流を調整して個別に調光するように、前記複数の点灯回路のそれぞれを制御し、
前記制御部は、前記複数の光源のそれぞれを消灯状態から点灯状態に移行させる際に前記第２制御を実行し、
前記第２制御を実行している前記制御部は、前記複数の点灯回路のそれぞれを制御して、前記複数の光源のそれぞれの所定の調光レベルに対応する前記基準電流の電流値のそれぞれに共通の係数を乗算することで求められた電流値に前記負荷電流を調整し、
前記制御部は、前記複数の点灯回路のそれぞれの出力電圧が前記複数の光源のそれぞれの順方向電圧に達するよりも前に、前記第２制御から前記第１制御に切り替える
ことを特徴とする点灯装置。
【請求項２】
前記制御部は、前記第２制御を実行している場合、前記点灯回路のそれぞれの出力端間の前記出力電圧を監視し、前記出力電圧が所望の目標電圧に一致すると、前記第２制御から前記第１制御に切り替えるように構成され、
前記目標電圧は、前記複数の光源のそれぞれの順方向電圧よりも低い値である
ことを特徴とする請求項１記載の点灯装置。
【請求項３】
前記複数の点灯回路のそれぞれは、発光色の異なる前記複数の光源のそれぞれと一対一に電気的に接続されている
ことを特徴とする請求項１又は２記載の点灯装置。
【請求項４】
請求項１から３のいずれか一項に記載の点灯装置と、前記複数の光源とを備える
ことを特徴とする照明装置。
【請求項５】
電源回路部をさらに備え、
前記電源回路部は、前記複数の点灯回路のそれぞれに直流電力を供給するように構成されている
ことを特徴とする請求項４に記載の照明装置。
【請求項６】
請求項４または５に記載の照明装置と、前記照明装置を保持する器具本体とを備える
ことを特徴とする照明器具。
【発明の詳細な説明】
【技術分野】
【０００１】
本発明は、点灯装置、照明装置、および照明器具に関する。
【背景技術】
【０００２】
従来例として、特許文献１記載の照明装置を例示する。特許文献１に記載の照明装置は、発光ダイオードチップを樹脂封止して発光源を形成してなるＬＥＤ（Light Emitting Diode）を点灯させる照明装置である。特許文献１に記載の照明装置は、赤色ＬＥＤ、緑色ＬＥＤおよび青色ＬＥＤがそれぞれ複数実装されたＬＥＤユニットと、商用電源に接続され、ＬＥＤユニットを点灯制御し、所定の電流をＬＥＤユニットに供給する点灯装置とを備える。ＬＥＤユニットは、各色のＬＥＤから発せられる赤、緑、青の光が合成されることで、所定の色度の光を発することができる。
【先行技術文献】
【特許文献】
【０００３】
【特許文献１】特開２００８−２１０５８８号公報
【発明の概要】
【発明が解決しようとする課題】
【０００４】
ところで、特許文献１記載の照明装置では、ＬＥＤ個々の光出力の特性にはばらつきが生じる。ＬＥＤ個々の光出力の特性のばらつきを抑制するために、予めＬＥＤに流す電流値を調整して補正する。このような補正を行うことで、照明装置におけるＬＥＤの光出力の特性のばらつきを抑制することができる。しかしながら、電流値を補正することで、複数の光源の点灯開始のタイミングがばらついてしまうことがある。
【０００５】
本発明は、上記事由に鑑みてなされており、複数の光源の点灯開始のばらつきを抑制する点灯装置、照明装置、および照明器具を提供することを目的とする。
【課題を解決するための手段】
【０００７】
本発明の点灯装置は、複数の点灯回路と、前記複数の点灯回路のそれぞれと一対一で対応する平滑用の複数のコンデンサと、前記複数の点灯回路のそれぞれを制御する制御部とを備え、前記複数の点灯回路のそれぞれは、スイッチング電源回路であって複数の光源と一対一に電気的に接続され、前記複数の光源のそれぞれに負荷電流を出力し、前記複数のコンデンサのそれぞれは、前記複数の点灯回路のそれぞれの出力端間に電気的に接続され、かつ前記光源と電気的に並列接続され、前記制御部は、第１制御と、第２制御とを択一的に選択して実行するように構成され、前記第１制御を実行している前記制御部は、前記複数の光源のそれぞれに対応して予め決められている基準電流の大きさを前記複数の光源のそれぞれの電気的特性に基づいて増減させる処理によって求められた電流値に前記負荷電流を調整して個別に調光するように、前記複数の点灯回路のそれぞれを制御し、前記制御部は、前記複数の光源のそれぞれを消灯状態から点灯状態に移行させる際に前記第２制御を実行し、前記第２制御を実行している前記制御部は、前記複数の点灯回路のそれぞれを制御して、前記複数の光源のそれぞれの所定の調光レベルに対応する前記基準電流の電流値のそれぞれに共通の係数を乗算することで求められた電流値に前記負荷電流を調整し、前記制御部は、前記複数の点灯回路のそれぞれの出力電圧が前記複数の光源のそれぞれの順方向電圧に達するよりも前に、前記第２制御から前記第１制御に切り替えることを特徴とする。
【０００８】
本発明の照明装置は、上述の点灯装置と、前記複数の光源とを備えることを特徴とする。
【０００９】
本発明の照明器具は、上述の照明装置と、前記照明装置を保持する器具本体とを備えることを特徴とする。
【発明の効果】
【００１０】
本発明の点灯装置、照明装置、および照明器具は、複数の光源の点灯開始のばらつきを抑制することができるという効果がある。
【図面の簡単な説明】
【００１１】
【図１】本発明の実施形態に係る点灯装置および照明装置を示す回路構成図である。
【図２】同上の照明器具を示す斜視図である。
【図３】同上の照明器具を示す左側面図である。
【図４】同上の比較例の点灯装置の動作を示す説明図である
【図５】同上の点灯装置の動作を示す説明図である。
【図６】同上の点灯装置の変形例の動作を示す説明図である。
【発明を実施するための形態】
【００１２】
以下の実施形態は、点灯装置、照明装置、および照明器具に関し、特に、光源に電力を供給する点灯装置、光源と点灯装置を備える照明装置、および照明装置を備える照明器具に関する。以下、点灯装置２、照明装置１、および照明器具５の実施形態について図面を参照して詳細に説明する。
【００１３】
本実施形態の点灯装置２および照明装置１について説明する。照明装置１は、点灯装置２と、電源回路部３と、光源４とを備える。
【００１４】
光源４は、図１に示すように、発光色の異なる第１光源４１と、第２光源４２と、および第３光源４３とを有する。第１光源４１は、電気的に直列接続される複数の赤色ＬＥＤ４１１（Light Emitting Diode）で構成されている。第２光源４２は、電気的に直列接続されている複数の緑色ＬＥＤ４２１で構成されている。第３光源４３は、電気的に直列接続されている複数の青色ＬＥＤ４３１で構成されている。
【００１５】
点灯装置２は、図１に示すように、第１点灯回路２１と、第２点灯回路２２と、第３点灯回路２３と、第１コンデンサＣ１と、第２コンデンサＣ２と、第３コンデンサＣ３と、制御部２７とを備える。点灯装置２は、第１プリチャージ回路２４１と、第２プリチャージ回路２４２と、第３プリチャージ回路２４３とをさらに備える。
【００１６】
第１点灯回路２１、第２点灯回路２２、および第３点灯回路２３のそれぞれは、発光色の異なる第１光源４１、第２光源４２、および第３光源４３のそれぞれを点灯させるように構成されている。より詳細には、第１点灯回路２１は、第１光源４１と電気的に接続されており、第１光源４１を点灯させるように構成されている。第２点灯回路２２は、第２光源４２と電気的に接続されており、第２光源４２を点灯させるように構成されている。第３点灯回路２３は、第３光源４３と電気的に接続されており、第３光源４３を点灯させるように構成されている。
【００１７】
第１点灯回路２１は、第１スイッチング素子Ｑ１と、第１ダイオードＤ１と、第１インダクタＬ１と、第１検出抵抗Ｒｖ１とを備える。第１スイッチング素子Ｑ１は、ｎチャネル型のＭＯＳＦＥＴ（Metal-Oxide-Semiconductor Field-Effect Transistor）である。第１スイッチング素子Ｑ１のドレインは、第１ダイオードＤ１のアノードと電気的に接続されている。第１スイッチング素子Ｑ１のソースは、第１検出抵抗Ｒｖ１の一端と電気的に接続されている。つまり、第１スイッチング素子Ｑ１のソースは、第１検出抵抗Ｒｖ１を介して電源回路部３の負極に電気的に接続されている。第１インダクタＬ１の一端は、第１ダイオードＤ１のアノードと、第１スイッチング素子Ｑ１のドレインとの接続点に電気的に接続されている。第１ダイオードＤ１のカソードは、電源回路部３の正極と電気的に接続されている。また、第１インダクタＬ１の他端は、第１コンデンサＣ１の一端と電気的に接続されている。第１ダイオードＤ１のカソードは、第１コンデンサＣ１の他端と電気的に接続されている。
【００１８】
第１コンデンサＣ１は、第１ダイオードＤ１と第１インダクタＬ１とで構成される直列回路の両端間に接続されている。つまり、第１コンデンサＣ１は、第１点灯回路２１の出力端に電気的に接続されている。第１光源４１は、第１コンデンサＣ１に電気的に並列接続されている。
【００１９】
第２点灯回路２２は、第２スイッチング素子Ｑ２と、第２ダイオードＤ２と、第２インダクタＬ２と、第２検出抵抗Ｒｖ２とを備える。第２スイッチング素子Ｑ２は、ｎチャネル型のＭＯＳＦＥＴである。第２スイッチング素子Ｑ２のドレインは、第２ダイオードＤ２のアノードと電気的に接続されている。第２スイッチング素子Ｑ２のソースは、第２検出抵抗Ｒｖ２の一端と電気的に接続されている。つまり、第２スイッチング素子Ｑ２のソースは、第２検出抵抗Ｒｖ２を介して電源回路部３の負極に電気的に接続されている。第２インダクタＬ２の一端は、第２ダイオードＤ２のアノードと、第２スイッチング素子Ｑ２のドレインとの接続点に電気的に接続されている。第２ダイオードＤ２のカソードは、電源回路部３の正極と電気的に接続されている。また、第２インダクタＬ２の他端は、第２コンデンサＣ２の一端と電気的に接続されている。第２ダイオードＤ２のカソードは、第２コンデンサＣ２の他端と電気的に接続されている。
【００２０】
第２コンデンサＣ２は、第２ダイオードＤ２と第２インダクタＬ２とで構成される直列回路の両端間に接続されている。つまり、第２コンデンサＣ２は、第２点灯回路２２の出力端に電気的に接続されている。第２光源４２は、第２コンデンサＣ２に電気的に並列接続されている。
【００２１】
第３点灯回路２３は、第３スイッチング素子Ｑ３と、第３ダイオードＤ３と、第３インダクタＬ３と、第３検出抵抗Ｒｖ３とを備える。第３スイッチング素子Ｑ３は、ｎチャネル型のＭＯＳＦＥＴである。第３スイッチング素子Ｑ３のドレインは、第３ダイオードＤ３のアノードと電気的に接続されている。第３スイッチング素子Ｑ３のソースは、第３検出抵抗Ｒｖ３の一端と電気的に接続されている。つまり、第３スイッチング素子Ｑ３のソースは、第３検出抵抗Ｒｖ３を介して電源回路部３の負極に電気的に接続されている。第３インダクタＬ３の一端は、第３ダイオードＤ３のアノードと、第３スイッチング素子Ｑ３のドレインとの接続点に電気的に接続されている。第３ダイオードＤ３のカソードは、電源回路部３の正極と電気的に接続されている。また、第３インダクタＬ３の他端は、第３コンデンサＣ３の一端と電気的に接続されている。第３ダイオードＤ３のカソードは、第３コンデンサＣ３の他端と電気的に接続されている。
【００２２】
第３コンデンサＣ３は、第３ダイオードＤ３と第３インダクタＬ３とで構成される直列回路の両端間に接続されている。つまり、第３コンデンサＣ３は、第３点灯回路２３の出力端に電気的に接続されている。第３光源４３は、第３コンデンサＣ３に電気的に並列接続されている。
【００２３】
第１プリチャージ回路２４１は、第１抵抗Ｒ１１と第２抵抗Ｒ１２との直列回路で構成されている。第１プリチャージ回路２４１は、第１点灯回路２１と電気的に接続されている。第２プリチャージ回路２４２は、第３抵抗Ｒ２１と第４抵抗Ｒ２２との直列回路で構成され、第２点灯回路２２と電気的に接続されている。第３プリチャージ回路２４３は、第５抵抗Ｒ３１と第６抵抗Ｒ３２との直列回路で構成され、第３点灯回路２３と電気的に接続されている。
【００２４】
第１プリチャージ回路２４１の第１抵抗Ｒ１１は、第１コンデンサＣ１と電気的に並列接続されている。第２抵抗Ｒ１２は、第１インダクタＬ１、第１スイッチング素子Ｑ１、および第１検出抵抗Ｒｖ１との直列回路と電気的に並列接続されている。第１プリチャージ回路２４１は、第１光源４１が消灯している状態において、第１コンデンサＣ１に、第１光源４１の順方向電圧よりも低い所望の電圧（第１プリチャージ電圧）が印加されるように構成されている。第１プリチャージ電圧は、電源回路部３の両端間から出力される電圧が第１抵抗Ｒ１１と第２抵抗Ｒ１２とによって分圧された電圧である。
【００２５】
第２プリチャージ回路２４２の第３抵抗Ｒ２１は、第２コンデンサＣ２と電気的に並列接続されている。第４抵抗Ｒ２２は、第２インダクタＬ２、第２スイッチング素子Ｑ２、および第２検出抵抗Ｒｖ２との直列回路と電気的に並列接続されている。第２プリチャージ回路２４２は、第２光源４２が消灯している状態において、第２コンデンサＣ２に、第２光源４２の順方向電圧よりも低い所望の第２プリチャージ電圧が印加されるように構成されている。第２プリチャージ電圧は、電源回路部３の両端間から出力される電圧が第３抵抗Ｒ２１と第４抵抗Ｒ２２とによって分圧された電圧である。
【００２６】
第３プリチャージ回路２４３の第５抵抗Ｒ３１は、第３コンデンサＣ３と電気的に並列接続されている。第６抵抗Ｒ３２は、第３インダクタＬ３、第３スイッチング素子Ｑ３、および第３検出抵抗Ｒｖ３との直列回路と電気的に並列接続されている。第３プリチャージ回路２４３は、第３光源４３が消灯している状態において、第３コンデンサＣ３に、第３光源４３の順方向電圧よりも低い所望の第３プリチャージ電圧が印加されるように構成されている。第３プリチャージ電圧は、電源回路部３の両端間から出力される電圧が第５抵抗Ｒ３１と第６抵抗Ｒ３２とによって分圧された電圧である。
【００２７】
制御部２７は、調光制御部２７０と、第１駆動回路２７１と、第２駆動回路２７２と、第３駆動回路２７３とを備える。制御部２７は、第１駆動回路２７１、第２駆動回路２７２、および第３駆動回路２７３を介して、第１スイッチング素子Ｑ１、第２スイッチング素子Ｑ２、および第３スイッチング素子Ｑ３をオンオフ制御する。つまり、制御部２７は、第１負荷電流Ｉ１、第２負荷電流Ｉ２、および第３負荷電流Ｉ３の振幅を増減させて、第１光源４１、第２光源４２、および第３光源４３の調光レベルを調整する。
【００２８】
調光制御部２７０は、例えば記憶部を有するマイクロコンピュータであって、第１駆動回路２７１、第２駆動回路２７２、および第３駆動回路２７３と電気的に接続される。調光制御部２７０は、外部から指示された調光指示値に基づいて、第１駆動回路２７１、第２駆動回路２７２、および第３駆動回路２７３に制御信号、例えばＰＷＭ信号（Pulse Width Modulation）を出力する。なお、調光指示値は、例えば、操作卓のような外部装置から入力される。
【００２９】
第１駆動回路２７１は、第１スイッチング素子Ｑ１のゲートと電気的に接続される。第１駆動回路２７１は、調光制御部２７０から出力される制御信号を受け取り、第１スイッチング素子Ｑ１の駆動に必要な駆動信号を第１スイッチング素子Ｑ１のゲートに出力する。
【００３０】
第２駆動回路２７２は、第２スイッチング素子Ｑ２のゲートと電気的に接続される。第２駆動回路２７２は、調光制御部２７０から出力される制御信号を受け取り、第２スイッチング素子Ｑ２の駆動に必要な駆動信号を第２スイッチング素子Ｑ２のゲートに出力する。
【００３１】
第３駆動回路２７３は、第３スイッチング素子Ｑ３のゲートと電気的に接続される。第３駆動回路２７３は、調光制御部２７０から出力される制御信号を受け取り、第３スイッチング素子Ｑ３の駆動に必要な駆動信号を第３スイッチング素子Ｑ３のゲートに出力する。
【００３２】
電源回路部３は、入力回路３１と、整流回路３２と、ＰＦＣ回路（力率改善回路）３３と、平滑回路３４とを備える。
【００３３】
入力回路３１は、例えば、コンデンサ、インダクタ、および抵抗などで構成され、外部の入力電源から供給される交流電力のノイズ成分を除去する。整流回路３２は、ダイオードブリッジであって、入力回路から出力された電力を全波整流する。ＰＦＣ回路３３は、昇圧チョッパなどであって、入力電源から供給される交流電力の力率を向上させる。平滑回路３４は、例えばコンデンサであって、ＰＦＣ回路３３から出力された電圧を平滑する。
【００３４】
照明器具５について説明する。照明器具５は、テレビ局のスタジオや舞台などの壁面（ホリゾント）を照明する用途に用いられる、いわゆるホリゾントライトである。ただし、本実施形態の技術思想が適用可能な照明器具５は、ホリゾントライトに限定されない。なお、以下の説明では、図２において、上下、左右、前後の各方向を規定する。
【００３５】
照明器具５は、照明装置１と、器具本体５０とを備える。器具本体５０は、図２に示すように、第１筐体５０１と、第２筐体５０２とで構成されている。
【００３６】
第１筐体５０１は、金属板によって直方形状に形成され、４つのＬＥＤモジュール４０と反射ブロック５１とを内部に収容するように構成され、放熱ブロック５２を有する。第１筐体５０１は、前面に開口する矩形の窓孔５３が形成されている。
【００３７】
４つのＬＥＤモジュール４０のそれぞれは、長方形状の基板の表面に、複数の赤色ＬＥＤ４１１、複数の緑色ＬＥＤ４２１、および複数の青色ＬＥＤ４３１が実装されて構成されている。第１筐体５０１の内部は、表面の窓孔５３に対向させるようにして、４つのＬＥＤモジュール４０が縦横２列に並んで収容される。
【００３８】
基板の表面には、それぞれレセプタクルコネクタが設けられている。これらのレセプタクルコネクタが有する複数の端子は、基板の表面または裏面に形成される導電体（銅箔）を介して、複数の赤色ＬＥＤ４１１、複数の緑色ＬＥＤ４２１、および複数の青色ＬＥＤ４３１のそれぞれに電気的に接続されている。また、レセプタクルコネクタは、点灯装置２と電源ケーブルを介して電気的に接続されている。
【００３９】
反射ブロック５１は、複数の反射板５１１と遮光板５１２とを備える。これらの複数の反射板５１１および遮光板５１２は、第１筐体５０１内において、窓孔５３と４つのＬＥＤモジュール４０のそれぞれとの間に配置されて、４つのＬＥＤモジュール４０のそれぞれから放射される光の配光を制御するように構成されている。
【００４０】
放熱ブロック５２は、多数の放熱板５２１を有する。放熱板５２１のそれぞれは、互いに板厚方向に沿って等間隔に並べて構成される。放熱ブロック５２は、第１筐体５０１の後面に設けられている。なお、放熱ブロック５２は、第１筐体５０１内において、４つのＬＥＤモジュール４０のそれぞれと熱的に接続されている。
【００４１】
第２筐体５０２は、金属板によって、扁平な直方体形状に形成され、一対のアーム５４を有し、点灯装置２と電源回路部３とを収容するように構成されている。一対のアーム５４は、第２筐体５０２の左右両端から上向きに立ち上がるように設けられる。一対のアーム５４は、先端に向かって、前後方向の幅寸法を徐々に狭くするように形成されている。一対のアーム５４は、先端部には、いわゆる、ノブボルトのボルト５５が挿通される挿通孔がそれぞれ設けられている。すなわち、一対のアーム５４は、先端部分の挿通孔に挿通されるノブボルトのボルト５５を第１筐体５０１の左右両端側に設けられている雌ねじにねじ込むことにより、第１筐体５０１を回転可能に支持するように構成されている。
【００４２】
照明器具５は、図３に示すように、例えば第１筐体５０１の窓孔５３を背景壁面６０に向け、かつ背景壁面６０から離れた床６１に配置される。
【００４３】
ここで、一例として第１光源４１に特化して、調光指示値に応じて第１光源４１を点灯させる場合について説明する。
【００４４】
制御部２７は、調光指示値に応じて第１光源４１を調光点灯させる。調光制御部２７０は、第１スイッチング素子Ｑ１がオン状態の場合、第１検出抵抗Ｒｖ１の両端電圧である第１検出電圧Ｖｒ１を監視する（図１参照）。
【００４５】
調光制御部２７０は、第１光源４１に対応する調光指示値を受け取ると、第１スイッチング素子Ｑ１をオンオフ制御する。調光制御部２７０は、第１スイッチング素子Ｑ１をオン状態にするために、ハイレベルの制御信号を第１駆動回路２７１に出力する。第１駆動回路２７１は、第１スイッチング素子Ｑ１にハイレベルの駆動信号を出力する。第１スイッチング素子Ｑ１がオン状態になると、図１に示すように、第１光源４１→第１インダクタＬ１→第１スイッチング素子Ｑ１→第１検出抵抗Ｒｖ１の経路で第１負荷電流Ｉ１が流れて第１負荷電流Ｉ１の値が増大する。
【００４６】
次に、第１負荷電流Ｉ１が増大することにより、第１検出電圧Ｖｒ１も増大する。そして、第１検出電圧Ｖｒ１が、予め調光制御部２７０のメモリなどに記憶されている調光レベルに応じた上限値に達すると、調光制御部２７０は、第１スイッチング素子Ｑ１をオフ状態にするためのローレベルの制御信号を第１駆動回路２７１に出力する。第１駆動回路２７１は、調光制御部２７０から制御信号を受け取ると、第１スイッチング素子Ｑ１にローレベルの駆動信号を出力する。第１スイッチング素子Ｑ１がオフ状態になると、第１インダクタＬ１の蓄積エネルギーにより、第１インダクタＬ１→第１ダイオードＤ１→第１光源４１→第１インダクタＬ１の閉路で回生電流が流れる。そして、第１負荷電流Ｉ１は、徐々に低減する。
【００４７】
そして、所望の期間が経過すると、調光制御部２７０は第１駆動回路２７１に第１スイッチング素子Ｑ１をオン状態にするためのハイレベルの制御信号を第１駆動回路２７１に出力する。第１駆動回路２７１は、調光制御部２７０から制御信号を受け取ると、第１スイッチング素子Ｑ１にハイレベルの駆動信号を出力して、第１スイッチング素子Ｑ１をオン状態にする。このようにして、制御部２７は、第１スイッチング素子Ｑ１をオンオフ制御することで、第１光源４１を調光指示値に基づく調光レベルで点灯させる。
【００４８】
なお、調光制御部２７０は、第２スイッチング素子Ｑ２がオン状態の場合、第２検出抵抗Ｒｖ２の両端電圧である第２検出電圧Ｖｒ２を監視する。そして、調光制御部２７０は、第２負荷電流Ｉ２を制御する。調光制御部２７０は、第３スイッチング素子Ｑ３がオン状態の場合、第３検出抵抗Ｒｖ３の両端電圧である第３検出電圧Ｖｒ３を監視する。そして、調光制御部２７０は、第３負荷電流Ｉ３を制御する。
【００４９】
次に、制御部２７が第１光源４１、第２光源４２、および第３光源４３のそれぞれを消灯している状態から点灯させる場合について説明する。
【００５０】
制御部２７は、第１スイッチング素子Ｑ１、第２スイッチング素子Ｑ２、および第３スイッチング素子Ｑ３のそれぞれをオフ状態に制御することで、第１光源４１、第２光源４２、および第３光源４３のそれぞれを消灯状態にする。第１光源４１の消灯状態に、第１プリチャージ電圧が第１コンデンサＣ１の両端に印加され、第１コンデンサＣ１は充電される。第２光源４２の消灯状態に、第２プリチャージ電圧が第２コンデンサＣ２の両端に印加され、第２コンデンサＣ２は充電される。第３光源４３の消灯状態に、第３プリチャージ電圧が第３コンデンサＣ３に印加され、第３コンデンサＣ３は充電される。
【００５１】
そして、調光制御部２７０に第１光源４１に対応する調光指示値が入力されると、制御部２７は、第１光源４１に対応するＤＣ調光下限（例えば、ＬＥＤの定格電流に対して５％）の第１負荷電流Ｉ１が第１コンデンサＣ１に流れるように第１点灯回路２１を制御する。調光制御部２７０に第２光源４２に対応する調光指示値が入力されると、制御部２７は、第２光源４２に対応するＤＣ調光下限の第２負荷電流Ｉ２が第２コンデンサＣ２に流れるように第２点灯回路２２を制御する。調光制御部２７０に第３光源４３に対応する調光指示値が入力されると、制御部２７は、第３光源４３に対応するＤＣ調光下限の第３負荷電流Ｉ３が第３コンデンサＣ３に流れるように第３点灯回路２３を制御する。
【００５２】
この場合、第１点灯回路２１、第２点灯回路２２、および第３点灯回路２３のそれぞれの出力端間の電圧は、対応する順方向電圧に達していない。したがって、第１光源４１、第２光源４２、および第３光源４３のそれぞれには対応する第１負荷電流Ｉ１、第２負荷電流Ｉ２、および第３負荷電流Ｉ３のそれぞれが流れない。そして、第１コンデンサＣ１、第２コンデンサＣ２、および第３コンデンサＣ３のそれぞれには、対応する第１負荷電流Ｉ１、第２負荷電流Ｉ２、第３負荷電流Ｉ３が流れる。
【００５３】
なお、低い調光レベルで第１光源４１、第２光源４２、および第３光源４３のそれぞれを点灯させるために、制御部２７は、バースト調光制御を実行することが好ましい。バースト調光制御は、第１光源４１、第２光源４２、および第３光源４３のそれぞれに供給される第１負荷電流Ｉ１、第２負荷電流Ｉ２、および第３負荷電流Ｉ３のそれぞれを間欠的に遮断する。このようにして、制御部２７は、第１負荷電流Ｉ１、第２負荷電流Ｉ２、および第３負荷電流Ｉ３のそれぞれのオンデューティを調整することで対応する第１光源４１、第２光源４２、および第３光源４３のそれぞれの調光レベルを制御する。
【００５４】
しかし、第１光源４１、第２光源４２、および第３光源４３のそれぞれが消灯している状態から点灯させる場合、制御部２７がバースト調光制御を行うとする。この場合、第１負荷電流Ｉ１、第２負荷電流Ｉ２、および第３負荷電流Ｉ３のそれぞれは間欠的に遮断されるので、第１光源４１、第２光源４２、および第３光源４３のそれぞれは、消灯している状態から点灯開始まで時間がかかってしまう。
【００５５】
そこで、制御部２７は、ＤＣ調光下限の電流値を連続的に出力するように第１点灯回路２１、第２点灯回路２２、および第３点灯回路２３のそれぞれを制御する。このように、制御部２７が第１点灯回路２１、第２点灯回路２２、および第３点灯回路２３のそれぞれを制御することで、制御部２７は、バースト調光制御の場合よりも、第１光源４１、第２光源４２、および第３光源４３のそれぞれの点灯開始のタイミングを早めることができる。
【００５６】
以下、消灯している状態から点灯させる場合について、第１光源４１に特化して説明する。制御部２７に第１光源４１に対応する調光指示値が入力されていない場合、つまり、第１光源４１が消灯している場合、第１コンデンサＣ１は、第１プリチャージ回路２４１によって第１コンデンサＣ１の両端電圧である出力電圧Ｖｃ１が上昇する。そして第１コンデンサＣ１は、第１プリチャージ電圧Ｖｐｒｅまで充電される。第１光源４１に対応する調光指示値が制御部２７に入力されると、制御部２７は、第１光源４１に対応するＤＣ調光下限の第１負荷電流Ｉ１が第１コンデンサＣ１に流れるように第１点灯回路２１を制御する。第１コンデンサＣ１に第１負荷電流Ｉ１が流れることで、第１コンデンサＣ１がさらに充電され、出力電圧Ｖｃ１が徐々に上昇する。
【００５７】
その後、出力電圧Ｖｃ１が所望の目標電圧に達すると、制御部２７は、調光指示値に応じた第１負荷電流Ｉ１を第１光源４１に供給するように第１点灯回路２１を制御する。出力電圧Ｖｃ１が第１光源４１の順方向電圧Ｖｆに達すると、第１光源４１は点灯を開始する。
【００５８】
ところで、ＬＥＤは、個々に光度のばらつきがある。つまり、同色のＬＥＤに同じ電流を流しても光度（明るさ）が異なってしまうことがある。
【００５９】
そこで、同色の光源の光度のばらつきを解消するために、予め、製造過程において、負荷電流の調整が行われる。このとき、設計上の値である基準電流の電流値の±３０％の補正量の範囲で負荷電流の調整が行われる。例えば、光源の所望の調光レベルに対応する基準電流の電流値が１Ａの場合、この調光レベルに対応する負荷電流は、７００ｍＡから１３００ｍＡの範囲で調整される。
【００６０】
ここで、比較例について、図４Ａおよび図４Ｂを参照して、第１光源に特化して説明する。比較例では、２つの照明器具において、＋３０％の補正量で調整して補正が行われている第１点灯回路を有する第１照明器具と、−３０％の補正量で調整して補正が行われている第１点灯回路を有する第２照明器具とについて説明する。なお、図４Ａでは、基準電流を基準電流Ｉｏ１とする。また、第１照明器具に対応する第１負荷電流Ｉ１を第１負荷電流Ｉａ１とし、第２照明器具に対応する第１負荷電流Ｉ１を第１負荷電流Ｉｂ１とする。さらに、ＤＣ調光下限の負荷電流の電流値を下限電流値とする。また、第１照明器具に対応する出力電圧Ｖｃ１を出力電圧Ｖａ１とする。また、第２照明器具に対応する出力電圧Ｖｃ１を出力電圧Ｖｂ１とする。
【００６１】
消灯している状態（時間ｔ０）から時間ｔ１１までの間、第１照明器具の制御部は、上述の補正後のＤＣ調光下限の第１負荷電流Ｉａ１が第１コンデンサに流れるように第１点灯回路を制御する。この場合、図４Ａに示すように、第１照明器具の第１負荷電流Ｉａ１の値は、下限電流値Ｉａ０になる。下限電流値Ｉａ０は、基準電流Ｉｏ１の下限電流値Ｉｏに対して＋３０％の補正量で調整して補正された値である。第２照明器具の制御部は、上述の補正後のＤＣ調光下限の第１負荷電流Ｉｂ１が第１コンデンサに流れるように第１点灯回路を制御する。第２照明器具の第１負荷電流Ｉｂ１の値は、下限電流値Ｉｂ０となる。下限電流値Ｉｂ０は、基準電流Ｉｏ１の下限電流値Ｉｏに対して−３０％の補正量で調整して補正された値である。したがって、第１照明器具の第１負荷電流Ｉａ１の下限電流値Ｉａ０と第２照明器具の第１負荷電流Ｉｂ１の下限電流値Ｉｂ０は異なっている。
【００６２】
第１照明器具の第１コンデンサは、時間ｔ０から時間ｔ１１の間、下限電流値Ｉａ０によって充電され、図４Ｂに示すように、出力電圧Ｖａ１が徐々に上昇する。また、第２照明器具の第１コンデンサは、時間ｔ０から時間ｔ１１の間、下限電流値Ｉｂ０によって充電され、出力電圧Ｖｂ１が徐々に上昇する。
【００６３】
第１照明器具の制御部は、時間ｔ１１になると、調光指示値に基づき、補正後の第１負荷電流Ｉａ１を第１コンデンサに流すように第１点灯回路を制御する。そして、第１コンデンサに充電された出力電圧Ｖａ１は、徐々に上昇していき、時間ｔ１２に順方向電圧Ｖｆに達する。出力電圧Ｖａ１が順方向電圧Ｖｆに達すると、第１光源は点灯を開始する。第２照明器具の制御部は、時間ｔ１１になると、調光指示値に基づき、補正後の負荷電流Ｉｂ１を、第１コンデンサに流すように第１点灯回路を制御する。そして、第１コンデンサに充電された出力電圧Ｖｂ１は、時間ｔ１３に順方向電圧Ｖｆに達する。出力電圧Ｖｂ１が順方向電圧Ｖｆに達すると、第１光源は点灯を開始する。
【００６４】
比較例の場合、第１照明器具の第１光源は、時間ｔ１２で点灯を開始する。第２照明器具の第１光源は、時間ｔ１３で点灯を開始する。このように、第１光源が点灯するタイミングの差は最大で期間Ｔ１になる。
【００６５】
そこで、本実施形態の照明器具５の動作について、図５Ａおよび図５Ｂを参照して説明する。
【００６６】
本実施形態の照明器具５の制御部２７は、補正量に係わらず、光源４が点灯を開始するタイミングの時間の差を軽減するために第１点灯回路２１、第２点灯回路２２、および第３点灯回路２３のそれぞれを制御する。制御部２７は、第１光源４１、第２光源４２、および第３光源４３のそれぞれが消灯している状態（時間ｔ０）から時間ｔ２１までの間、第２制御を実行する。なお、時間ｔ２１以降において、制御部２７は、第１制御を実行する。第１制御を実行している制御部２７は、補正によって調整された第１負荷電流Ｉ１、第２負荷電流Ｉ２、および第３負荷電流Ｉ３のそれぞれが対応する第１光源４１、第２光源４２、および第３光源４３のそれぞれに流れるように第１点灯回路２１、第２点灯回路２２、および第３点灯回路２３を制御する。
【００６７】
第１光源４１に対応する第１目標電圧Ｖｒｅｆ（図５Ｂ参照）、第２光源４２に対応する第２目標電圧、および第３光源４３に対応する第３目標電圧は、予め調光制御部２７０のメモリに記憶されている。第１目標電圧Ｖｒｅｆは、図５Ｂに示すように、第１光源４１の順方向電圧Ｖｆよりも低い値に設定される。第２目標電圧は、第２光源４２の順方向電圧よりも低い値に設定される。第３目標電圧は、第３光源４３の順方向電圧よりも低い値に設定される。
【００６８】
なお、以下の説明では、第１光源４１に特化して説明する。１つの照明器具５（以下、第１照明器具５とする）は、製造過程において、予め基準電流Ｉｏ１の電流値に対して＋３０％の補正量で第１負荷電流Ｉａ２が調整されている。別の照明器具５（以下、第２照明器具５とする）は、製造過程において、予め基準電流Ｉｏ１の電流値に対して−３０％の補正量で第１負荷電流Ｉｂ１が調整されている。また、第１照明器具５に対応する第１負荷電流Ｉ１を第１負荷電流Ｉａ２とし、第２照明器具５に対応する第１負荷電流Ｉ１を第１負荷電流Ｉｂ２とする。さらに、第１照明器具５に対応する出力電圧Ｖｃ１を出力電圧Ｖａ２とする。また、第２照明器具５に対応する出力電圧Ｖｃ１を出力電圧Ｖｂ２とする。
【００６９】
第１コンデンサＣ１に充電される出力電圧Ｖａ２，Ｖｂ２が第１目標電圧Ｖｒｅｆに達する時点を時間ｔ２１とする。第２制御を実行している制御部２７（調光制御部２７０）は出力電圧Ｖａ２，Ｖｂ２を監視する。この場合、制御部２７は、複数の抵抗で構成された直列回路が第１コンデンサＣ１に電気的に並列接続されて、複数の抵抗で分圧された電圧値を基に第１コンデンサＣ１に充電される出力電圧Ｖａ２，Ｖｂ２を監視してもよい。
【００７０】
第１照明器具５において、第２制御を実行している制御部２７は、消灯している状態（時間ｔ０）から時間ｔ２１の間、第１負荷電流Ｉａ２が基準電流Ｉｏ１の下限電流値Ｉｏに等しい電流値となるように第１点灯回路２１を制御する。例えば、第１負荷電流Ｉａ２が＋３０％の補正量で調整されている場合、制御部２７は、第１負荷電流Ｉａ２が製造時に調整される前の電流値になるように第１照明器具５の第１点灯回路２１を制御する。
【００７１】
また、第２照明器具５において、制御部２７は、第１負荷電流Ｉｂ２が基準電流Ｉｏ１の下限電流値Ｉｏに等しい電流値となるように第１点灯回路２１を制御する。例えば、第１負荷電流Ｉｂ２が−３０％の補正量で調整されている場合、第１負荷電流Ｉｂ２が製造時に調整される前の電流値になるように制御する。第１照明器具５の第１コンデンサＣ１と第２照明器具５の第１コンデンサＣ１とに流れる第１負荷電流Ｉａ２と第１負荷電流Ｉｂ２との電流値は等しくなる。
【００７２】
第１負荷電流Ｉａ２と第１負荷電流Ｉｂ２との電流値が等しいので、出力電圧Ｖａ２および出力電圧Ｖｂ２は、図５Ｂに示すように、時間ｔ２１で目標電圧Ｖｒｅｆに達する。
【００７３】
第１照明器具５の制御部２７と第２照明器具５の制御部２７のそれぞれは、図５Ｂに示すように、対応する第１点灯回路２１の出力電圧Ｖａ２，Ｖｂ２が目標電圧Ｖｒｅｆに達すると、第２制御から第１制御に切り替える。
【００７４】
第１照明器具５の制御部２７は、時間ｔ２１になると、＋３０％の補正量で調整された第１負荷電流Ｉａ２の電流値で第１点灯回路２１が動作するように制御する。第２照明器具の制御部２７は、時間ｔ２１になると、−３０％の補正量で調整された第１負荷電流Ｉｂ２の電流値で第１点灯回路２１を動作するように制御する。
【００７５】
出力電圧Ｖａ２が時間ｔ２２で順方向電圧Ｖｆに達すると、第１照明器具５の第１光源４１は点灯を開始する。出力電圧Ｖｂ２が時間ｔ２３で順方向電圧Ｖｆに達すると、第２照明器具５の第１光源４１は点灯を開始する。このように、第１光源４１が点灯するタイミングの差は最大で期間Ｔ２になる。比較例における第１光源４１の点灯タイミングの差である期間Ｔ１と比較すると、期間Ｔ２は期間Ｔ１よりも短い（図４参照）。
【００７６】
第１点灯回路２１、第２点灯回路２２、および第３点灯回路２３のそれぞれは、対応する基準電流を使用した場合、第１光源４１、第２光源４２、および第３光源４３が同じタイミングで点灯を開始することができるように設計されている。制御部２７は、上述の第１制御および第２制御を第２光源４２および第３光源４３に対しても行う。本実施形態の照明器具５において、上述のような第１制御および第２制御が第１光源４１、第２光源４２、および第３光源４３に対して実行されることで、第１光源４１、第２光源４２、および第３光源４３の点灯開始のそれぞれのタイミングのずれを軽減することができる。したがって、第１光源４１、第２光源４２、および第３光源４３に対して行われる補正量に係わらず、第１光源４１、第２光源４２、および第３光源４３のそれぞれの点灯開始のタイミングのばらつきを軽減することができる。
【００７７】
消灯している状態（時間ｔ０）から時間ｔ２１までの間に実行される第２制御の変形例について、図６Ａおよび図６Ｂを参照して説明する。第２制御の変形例では、制御部２７が第１負荷電流Ｉａ３、Ｉｂ３が基準電流Ｉｏ１の下限電流値Ｉｏに等しい電流値に設定されない点が相違する。なお、以下の説明では、第１光源４１に特化して説明する。なお、第１照明器具５に対応する第１負荷電流Ｉ１を第１負荷電流Ｉａ３とし、第２照明器具５に対応する第１負荷電流Ｉ１を第１負荷電流Ｉｂ３とする。
【００７８】
１つの照明器具５（以下、第１照明器具５とする）は、製造過程において、予め基準電流Ｉｏ１の電流値に対して＋３０％の補正量で第１負荷電流Ｉａ３が調整されている。別の照明器具５（以下、第２照明器具５とする）は、製造過程において、予め基準電流Ｉｏ１の電流値に対して−３０％の補正量で第１負荷電流Ｉｂ３が調整されている。なお、第１照明器具５に対応する出力電圧Ｖｃ１を出力電圧Ｖａ３とし、第２照明器具５に対応する出力電圧Ｖｃ１を出力電圧Ｖｂ３とする。
【００７９】
第１照明器具５において、図６Ａに示すように、第２制御を実行している制御部２７は、消灯している状態（時間ｔ０）から第１目標電圧Ｖｒｅｆに達するまで、第１負荷電流Ｉａ３が基準電流Ｉｏ１の下限電流値Ｉｏの＋３０％に等しい下限電流値Ｉａ０となるように第１点灯回路２１を制御する。
【００８０】
また、第２照明器具５において、制御部２７は、第１負荷電流Ｉｂ３が基準電流Ｉｏ１の下限電流値Ｉｏの＋３０％に等しい下限電流値Ｉａ０となるように第１点灯回路２１を制御する。
【００８１】
第１照明器具５の第１コンデンサＣ１と第２照明器具５の第１コンデンサＣ１とに流れる第１負荷電流Ｉａ３と第１負荷電流Ｉｂ３との電流値は下限電流値Ｉａ０となり等しい。
【００８２】
第１負荷電流Ｉａ３と第１負荷電流Ｉｂ３との電流値が等しいので、出力電圧Ｖａ３および出力電圧Ｖｂ３は、図６Ｂに示すように、時間ｔ３１で第１目標電圧Ｖｒｅｆに達する。そして、第１照明器具５の制御部２７および第２照明器具５の制御部２７のそれぞれが第２制御から第１制御に切替える。出力電圧Ｖａ３は、時間ｔ３２で順方向電圧Ｖｆに達する。また、出力電圧Ｖｂ３は、時間ｔ３３で順方向電圧Ｖｆに達する。したがって、第１光源４１が点灯するタイミングの差は最大で期間Ｔ３になる。比較例における第１光源４１の点灯タイミングの差である期間Ｔ１と比較すると、期間Ｔ３は期間Ｔ１よりも短い（図４参照）。
【００８３】
また、制御部２７が第２制御の変形例を実行すると、第１コンデンサＣ１のそれぞれに充電される出力電圧Ｖａ３，Ｖｂ３がより早く第１目標電圧Ｖｒｅｆに達することができる。したがって、第１光源４１がより早く点灯を開始することができる。第２コンデンサＣ２に充電される出力電圧がより早く第２目標電圧に達することができるので、第２光源４２がより早く点灯を開始することができる。第３コンデンサＣ３に充電される出力電圧がより早く第３目標電圧に達することができるので、第３光源４３がより早く点灯を開始することができる。
【００８４】
本変形例において、第１制御は、複数の光源のそれぞれの電気的特性に基づいて、基準電流の大きさが増減された電流を複数の光源に流れるようにする制御である。第２制御は、複数の光源に対応する点灯回路に同一の電流値が流れるようにする制御である。したがって、本変形例において、第１制御で行われる第１負荷電流Ｉ１、第２負荷電流Ｉ２、および第３負荷電流Ｉ３の補正と第２制御で行われる第１負荷電流Ｉ１、第２負荷電流Ｉ２、および第３負荷電流の補正とは異なる。
【００８５】
本実施形態の点灯装置２は、複数の点灯回路（第１点灯回路２１、第２点灯回路２２、および第３点灯回路２３）を備える。点灯装置２は、第１点灯回路２１、第２点灯回路２２、および第３点灯回路２３のそれぞれと一対一で対応する平滑用の複数のコンデンサ（第１コンデンサＣ１、第２コンデンサＣ２、および第３コンデンサＣ３）をさらに備える。点灯装置２は、第１点灯回路２１、第２点灯回路２２、および第３点灯回路２３のそれぞれを制御する制御部２７をさらに備える。第１点灯回路２１、第２点灯回路２２、および第３点灯回路２３のそれぞれは、スイッチング電源回路であって複数の光源４（第１光源４１、第２光源４２、および第３光源４３）と一対一に電気的に接続される。第１点灯回路２１、第２点灯回路２２、および第３点灯回路２３のそれぞれは、第１光源４１、第２光源４２、および第３光源４３のそれぞれに負荷電流（第１負荷電流Ｉ１、第２負荷電流Ｉ２、および第３負荷電流Ｉ３）を出力する。第１コンデンサＣ１、第２コンデンサＣ２，第３コンデンサＣ３のそれぞれは、第１点灯回路２１、第２点灯回路２２、および第３点灯回路２３のそれぞれの出力端間に電気的に接続される。かつ、第１コンデンサＣ１、第２コンデンサＣ２，第３コンデンサＣ３のそれぞれは、第１光源４１、第２光源４２、および第３光源４３と電気的に並列接続される。制御部２７は、第１制御と、第２制御とを択一的に選択して実行するように構成される。第１制御を実行している制御部２７は、第１光源４１、第２光源４２、および第３光源４３のそれぞれに対応して予め決められている基準電流の大きさを第１光源４１、第２光源４２、および第３光源４３のそれぞれの電気的特性に基づいて増減させる処理によって求められた電流値に第１負荷電流Ｉ１、第２負荷電流Ｉ２、および第３負荷電流Ｉ３を調整する。そして第１制御を実行している制御部２７は、第１光源４１、第２光源４２、および第３光源４３を個別に調光するように、第１点灯回路２１、第２点灯回路２２、および第３点灯回路２３のそれぞれを制御する。制御部２７は、第１光源４１、第２光源４２、および第３光源４３のそれぞれを消灯状態から点灯状態に移行させる際に第２制御を実行する。第２制御を実行している制御部２７は、第１点灯回路２１、第２点灯回路２２、および第３点灯回路２３のそれぞれを制御する。そして、第２制御を実行している制御部２７は、第１光源４１、第２光源４２、および第３光源４３のそれぞれの所定の調光レベルに対応する基準電流Ｉｏ１の電流値に第１負荷電流Ｉ１、第２負荷電流Ｉ２、および第３負荷電流Ｉ３を調整する。制御部２７は、第１点灯回路２１、第２点灯回路２２、および第３点灯回路２３のそれぞれの出力電圧が第１光源４１、第２光源４２、および第３光源４３のそれぞれの順方向電圧Ｖｆに達するよりも前に、第２制御から第１制御に切り替える。
【００８６】
本実施形態の点灯装置２は、上述のように構成されるので、第１光源４１、第２光源４２、および第３光源４３の点灯開始のばらつきを抑制することができる。
【００８７】
本実施形態の点灯装置２は、複数の点灯回路（第１点灯回路２１、第２点灯回路２２、および第３点灯回路２３を備える。点灯装置２は、第１点灯回路２１、第２点灯回路２２、および第３点灯回路２３のそれぞれと一対一で対応する平滑用の複数のコンデンサ（第１コンデンサＣ１、第２コンデンサＣ２、および第３コンデンサＣ３）をさらに備える。点灯装置２は、第１点灯回路２１、第２点灯回路、および第３点灯回路２３のそれぞれを制御する制御部２７をさらに備える。第１点灯回路２１、第２点灯回路２２、および第３点灯回路２３のそれぞれは、スイッチング電源回路であって複数の光源（第１光源４１、第２光源４２、および第３光源４３）と一対一に電気的に接続される。第１点灯回路２１、第２点灯回路２２、および第３点灯回路２３のそれぞれは、第１光源４１、第２光源４２、および第３光源４３のそれぞれに負荷電流（第１負荷電流Ｉ１、第２負荷電流Ｉ２、および第３負荷電流Ｉ３）を出力する。第１コンデンサＣ１、第２コンデンサＣ２，第３コンデンサＣ３のそれぞれは、第１点灯回路２１、第２点灯回路２２、および第３点灯回路２３のそれぞれの出力端間に電気的に接続される。かつ、第１コンデンサＣ１、第２コンデンサＣ２，第３コンデンサＣ３のそれぞれは、第１光源４１、第２光源４２、および第３光源４３と電気的に並列接続される。制御部２７は、第１制御と、第２制御とを択一的に選択して実行するように構成される。第１制御を実行している制御部２７は、第１光源４１、第２光源４２、および第３光源４３のそれぞれに対応して予め決められている基準電流Ｉｏ１の大きさを第１光源４１、第２光源４２、および第３光源４３のそれぞれの電気的特性に基づいて増減させる処理によって求められた電流値に第１負荷電流Ｉ１、第２負荷電流Ｉ２、および第３負荷電流Ｉ３を調整する。そして、第１制御を実行している制御部２７は、個別に調光するように、第１点灯回路２１、第２点灯回路２２、および第３点灯回路２３のそれぞれを制御する。制御部２７は、第１光源４１、第２光源４２、および第３光源４３のそれぞれを消灯状態から点灯状態に移行させる際に第２制御を実行する。第２制御を実行している制御部２７は、第１点灯回路２１、第２点灯回路２２、および第３点灯回路２３のそれぞれを制御する。そして、第２制御を実行している制御部２７は、第１光源４１、第２光源４２、および第３光源４３のそれぞれの所定の調光レベルに対応する基準電流Ｉｏ１の電流値のそれぞれに共通の係数を乗算することで求められた電流値に第１負荷電流Ｉ１、第２負荷電流Ｉ２、および第３負荷電流Ｉ３を調整する。制御部２７は、第１点灯回路２１、第２点灯回路２２、および第３点灯回路２３のそれぞれの出力電圧が第１光源４１、第２光源４２、および第３光源４３のそれぞれの順方向電圧Ｖｆに達するよりも前に、第２制御から第１制御に切り替える。
【００８８】
本実施形態の点灯装置２は、上述のように構成されるので、第１光源の４１、第２光源４２、および第３光源４３の点灯開始のばらつきを抑制することができる。
【００８９】
本実施形態の点灯装置２において、制御部２７は、第２制御を実行している場合、第１点灯回路２１、第２点灯回路２２、および第３点灯回路２３のそれぞれの出力端間の出力電圧を監視することが好ましい。そして、制御部２７は、出力電圧が所望の第１目標電圧Ｖｒｅｆ、第２目標電圧、および第３目標電圧のそれぞれに一致すると、第２制御から第１制御に切り替えるように構成されることが好ましい。第１目標電圧Ｖｒｅｆ、第２目標電圧、および第３目標電圧のそれぞれは、第１光源４１、第２光源４２、および第３光源４３のそれぞれの順方向電圧Ｖｆよりも低い値であることが好ましい。
【００９０】
本実施形態の点灯装置２が上述のように構成されると、出力電圧のそれぞれが順方向電圧Ｖｆに達した場合、第１光源４１、第２光源４２、および第３光源４３のそれぞれがより円滑に調光指示値に応じた調光レベルで点灯することが可能である。
【００９１】
本実施形態の点灯装置２において、第１点灯回路２１、第２点灯回路２２、および第３点灯回路２３のそれぞれは、発光色の異なる複数の光源４（第１光源４１、第２光源４２、および第３光源４３）のそれぞれと一対一に電気的に接続されていることが好ましい。
【００９２】
本実施形態の点灯装置２は、上述のように構成されれば、調光指示値に基づく調色をより早く実現することができる。
【００９３】
本実施形態の照明装置１は、点灯装置２と、複数の光源４（第１光源４１、第２光源４２、および第３光源４３）を備える。
【００９４】
本実施形態の照明装置１は、電源回路部３をさらに備えることが好ましい。電源回路部３は、第１点灯回路２１、第２点灯回路２２、および第３点灯回路２３のそれぞれに直流電力を供給するように構成されていることが好ましい。
【００９５】
本実施形態の照明装置１は、上述のように構成されるので、第１光源４１の、第２光源４２、および第３光源４３の点灯開始のばらつきを抑制することができる。
【００９６】
本実施形態の照明器具５は、照明装置１と、照明装置１を保持する器具本体５０とを備える。
【００９７】
本実施形態の照明器具５は、上述のように構成されるので、第１光源４１の、第２光源４２、および第３光源４３の点灯開始のばらつきを抑制することができる。
【符号の説明】
【００９８】
１  照明装置
２  点灯装置
２１  第１点灯回路
２２  第２点灯回路
２３  第３点灯回路
２７  制御部
４  光源
４１  第１光源
４２  第２光源
４３  第３光源
５  照明器具
５０  器具本体
Ｃ１  第１コンデンサ
Ｃ２  第２コンデンサ
Ｃ３  第３コンデンサ
Ｉ１  第１負荷電流
Ｉ２  第２負荷電流
Ｉ３  第３負荷電流
Ｉｏ１  基準電流
Ｖｆ  順方向電圧
Ｖｒｅｆ  第１目標電圧
【図１】
0006704177.tif 000002
【図２】
0006704177.tif 000003
【図３】
0006704177.tif 000004
【図４】
0006704177.tif 000005
【図５】
0006704177.tif 000006
【図６】
0006704177.tif 000007